(57)【要約】      （修正有）【課題】表紙付きの複数の印刷物を一つの印刷物にまとめる際に、印刷物の内容を適切に示す表紙作成の作業負荷を軽減する情報処理装置を提供する。【解決手段】情報処理装置は、取得部と受付部とを有する。取得部は、複数の印刷データと共に、複数の印刷データのそれぞれに含まれる表紙データを個別表紙データとして取得する。受付部は、複数の印刷データを統合したときに用いる表紙データを統合表紙データとして生成するための表紙生成設定を受け付ける。【選択図】図２３
2015215692.tif 000002
【特許請求の範囲】
【請求項１】
複数の印刷データと共に、前記複数の印刷データのそれぞれに含まれる表紙データを個別表紙データとして取得する取得部と、
前記複数の印刷データを統合したときに用いる表紙データを統合表紙データとして生成するための表紙生成設定を受け付ける受付部と、
を有する情報処理装置。
【請求項２】
前記表紙データは、背表紙データ、オモテ表紙データおよびウラ表紙データを含み、
前記表紙生成設定は、背表紙データ、オモテ表紙データおよびウラ表紙データのそれぞれを生成するための背表紙生成設定、オモテ表紙生成設定およびウラ表紙生成設定を含む請求項１に記載の情報処理装置。
【請求項３】
前記表紙生成設定に基づき、前記統合表紙データを生成する生成部をさらに有する請求項１または請求項２に記載の情報処理装置。
【請求項４】
前記生成部は、複数の前記個別表紙データのうち少なくとも一部を用いて、前記統合表紙データを生成する請求項３に記載の情報処理装置。
【請求項５】
前記生成部は、前記背表紙生成設定が複数の前記背表紙データの全てを使用する旨の設定を含む場合、複数の前記個別表紙データに含まれる全ての前記背表紙データを結合して、前記統合表紙データの背表紙データを生成する請求項３または請求項４に記載の情報処理装置。
【請求項６】
前記生成部は、前記背表紙生成設定が複数の前記背表紙データの中から選択された背表紙データを使用する旨の設定を含む場合、当該選択された背表紙データにより表現される背表紙を拡大するように、または、当該選択された背表紙データにより表現される背表紙に余白を付与するように、前記統合表紙データの背表紙データを生成する請求項３または請求項４に記載の情報処理装置。
【請求項７】
前記生成部は、前記背表紙生成設定がユーザーにより指定された背表紙データを使用する旨の設定を含む場合、ユーザーから背表紙データの指定を受け付けて、指定された背表紙データを用いて、前記統合表紙データの背表紙データを生成する請求項３または請求項４に記載の情報処理装置。
【請求項８】
前記生成部は、前記オモテ表紙生成設定または前記ウラ表紙生成設定が縮小してレイアウトする旨の設定を含む場合、複数の前記個別表紙データに含まれる複数の前記オモテ表紙データまたは複数の前記ウラ表紙データにより表現される複数のオモテ表紙または複数のウラ表紙をそれぞれ縮小したうえで結合するように、前記統合表紙データのオモテ表紙データまたはウラ表紙データを生成する請求項３〜７のいずれか一項に記載の情報処理装置。
【請求項９】
前記生成部は、前記オモテ表紙生成設定または前記ウラ表紙生成設定が前記オモテ表紙データまたは前記ウラ表紙データの中から選択されたデータを使用する旨の設定を含む場合、当該選択されたオモテ表紙データまたはウラ表紙データをそのまま用いて、前記統合表紙データのオモテ表紙データまたはウラ表紙データを生成する請求項３〜７のいずれか一項に記載の情報処理装置。
【請求項１０】
前記生成部は、前記オモテ表紙生成設定または前記ウラ表紙生成設定がユーザーにより指定されたオモテ表紙データまたはウラ表紙データを使用する旨の設定を含む場合、ユーザーからオモテ表紙データまたはウラ表紙データの指定を受け付けて、指定されたオモテ表紙データまたはウラ表紙データを用いて、前記統合表紙データのオモテ表紙データまたはウラ表紙データを生成する請求項３〜７のいずれか一項に記載の情報処理装置。
【請求項１１】
前記生成部は、前記オモテ表紙生成設定または前記ウラ表紙生成設定が印刷ページに挿入する旨の設定を含む場合、前記複数の個別表紙データそれぞれの前記オモテ表紙データまたは前記ウラ表紙データを、前記複数の印刷データそれぞれの印刷ページの最初または最後のページを示すデータとして挿入する請求項３〜１０のいずれか一項に記載の情報処理装置。
【請求項１２】
複数の印刷データと共に、前記複数の印刷データのそれぞれに含まれる表紙データを個別表紙データとして取得する取得ステップと、
前記複数の印刷データを統合したときに用いる表紙データを統合表紙データとして生成するための表紙生成設定を受け付ける受付ステップと、
を有する情報処理方法。
【請求項１３】
複数の印刷データと共に、前記複数の印刷データのそれぞれに含まれる表紙データを個別表紙データとして取得する取得ステップと、
前記複数の印刷データを統合したときに用いる表紙データを統合表紙データとして生成するための表紙生成設定を受け付ける受付ステップと、
をコンピューターに実行させる情報処理プログラム。
【請求項１４】
請求項１３に記載の情報処理プログラムを記録したコンピューター読み取り可能な記録媒体。
【発明の詳細な説明】
【技術分野】
【０００１】
本発明は、情報処理装置、情報処理方法、情報処理プログラムおよび記録媒体に関する。
【背景技術】
【０００２】
印刷データに表紙用のデータを付加し、印刷物の内容を示す本身の印刷ページ（以下、本身ページという）とあわせて、表紙を印刷する技術が知られている。印刷された表紙に本身ページを挟み込んで製本処理を行うことにより、本や冊子等の表紙付き印刷物が完成する。
【０００３】
一枚の表紙は、オモテ表紙、ウラ表紙、背表紙の各部から構成される。したがって、表紙用のデータには、オモテ表紙データ、ウラ表紙データ、背表紙データが含まれる。このような表紙用のデータを簡易に作成するための技術として、印刷データの内容から印刷物の厚みを推定し、推定した印刷物の厚みに応じて背表紙の幅を自動的に算出する技術も知られている（特許文献１参照）。
【先行技術文献】
【特許文献】
【０００４】
【特許文献１】特開２０００−１８４１５４号公報
【発明の概要】
【発明が解決しようとする課題】
【０００５】
ところで、複数の表紙付き印刷物をまとめて一つの印刷物を作成したいというニーズがある。たとえば、絶版となった本や雑誌の複製印刷物を作成する際に、取り扱いの利便性や情報の一元化を考慮して、複数の印刷物それぞれをバラバラのまま複製するのではなく、一つの印刷物にまとめてパッケージ化したいという場合である。
【０００６】
複数の表紙付き印刷物を一つの印刷物にまとめる際に、一つにまとめた印刷物の内容を適切に示す表紙が必要となる。しかしながら、上記の特許文献１記載の技術においては、背表紙の幅は自動で算出できるものの、表紙の内容についてはユーザーが別途作成する必要があり、ユーザーの作業負荷が大きいという問題がある。
【０００７】
本発明は、上記事情に鑑みてなされたものであり、表紙付きの複数の印刷物を一つの印刷物にまとめる際に、印刷物の内容を適切に示す表紙作成の作業負荷を軽減する情報処理装置、情報処理方法、情報処理プログラムおよび記録媒体を提供することを目的とする。
【課題を解決するための手段】
【０００８】
上記目的は、下記の手段によって達成される。
【０００９】
（１）複数の印刷データと共に、前記複数の印刷データのそれぞれに含まれる表紙データを個別表紙データとして取得する取得部と、前記複数の印刷データを統合したときに用いる表紙データを統合表紙データとして生成するための表紙生成設定を受け付ける受付部と、を有する情報処理装置。
【００１０】
（２）前記表紙データは、背表紙データ、オモテ表紙データおよびウラ表紙データを含み、前記表紙生成設定は、背表紙データ、オモテ表紙データおよびウラ表紙データのそれぞれを生成するための背表紙生成設定、オモテ表紙生成設定およびウラ表紙生成設定を含む上記（１）に記載の情報処理装置。
【００１１】
（３）前記表紙生成設定に基づき、前記統合表紙データを生成する生成部をさらに有する上記（１）または（２）に記載の情報処理装置。
【００１２】
（４）前記生成部は、複数の前記個別表紙データのうち少なくとも一部を用いて、前記統合表紙データを生成する上記（３）に記載の情報処理装置。
【００１３】
（５）前記生成部は、前記背表紙生成設定が複数の前記背表紙データの全てを使用する旨の設定を含む場合、複数の前記個別表紙データに含まれる全ての前記背表紙データを結合して、前記統合表紙データの背表紙データを生成する上記（３）または（４）に記載の情報処理装置。
【００１４】
（６）前記生成部は、前記背表紙生成設定が複数の前記背表紙データの中から選択された背表紙データを使用する旨の設定を含む場合、当該選択された背表紙データにより表現される背表紙を拡大するように、または、当該選択された背表紙データにより表現される背表紙に余白を付与するように、前記統合表紙データの背表紙データを生成する上記（３）または（４）に記載の情報処理装置。
【００１５】
（７）前記生成部は、前記背表紙生成設定がユーザーにより指定された背表紙データを使用する旨の設定を含む場合、ユーザーから背表紙データの指定を受け付けて、指定された背表紙データを用いて、前記統合表紙データの背表紙データを生成する上記（３）または（４）に記載の情報処理装置。
【００１６】
（８）前記生成部は、前記オモテ表紙生成設定または前記ウラ表紙生成設定が縮小してレイアウトする旨の設定を含む場合、複数の前記個別表紙データに含まれる複数の前記オモテ表紙データまたは複数の前記ウラ表紙データにより表現される複数のオモテ表紙または複数のウラ表紙をそれぞれ縮小したうえで結合するように、前記統合表紙データのオモテ表紙データまたはウラ表紙データを生成する上記（３）〜（７）のいずれか一つに記載の情報処理装置。
【００１７】
（９）前記生成部は、前記オモテ表紙生成設定または前記ウラ表紙生成設定が前記オモテ表紙データまたは前記ウラ表紙データの中から選択されたデータを使用する旨の設定を含む場合、当該選択されたオモテ表紙データまたはウラ表紙データをそのまま用いて、前記統合表紙データのオモテ表紙データまたはウラ表紙データを生成する上記（３）〜（７）のいずれか一つに記載の情報処理装置。
【００１８】
（１０）前記生成部は、前記オモテ表紙生成設定または前記ウラ表紙生成設定がユーザーにより指定されたオモテ表紙データまたはウラ表紙データを使用する旨の設定を含む場合、ユーザーからオモテ表紙データまたはウラ表紙データの指定を受け付けて、指定されたオモテ表紙データまたはウラ表紙データを用いて、前記統合表紙データのオモテ表紙データまたはウラ表紙データを生成する上記（３）〜（７）のいずれか一つに記載の情報処理装置。
【００１９】
（１１）前記生成部は、前記オモテ表紙生成設定または前記ウラ表紙生成設定が印刷ページに挿入する旨の設定を含む場合、前記複数の個別表紙データそれぞれの前記オモテ表紙データまたは前記ウラ表紙データを、前記複数の印刷データそれぞれの印刷ページの最初または最後のページを示すデータとして挿入する上記（３）〜（１０）のいずれか一つに記載の情報処理装置。
【００２０】
（１２）複数の印刷データと共に、前記複数の印刷データのそれぞれに含まれる表紙データを個別表紙データとして取得する取得ステップと、前記複数の印刷データを統合したときに用いる表紙データを統合表紙データとして生成するための表紙生成設定を受け付ける受付ステップと、を有する情報処理方法。
【００２１】
（１３）複数の印刷データと共に、前記複数の印刷データのそれぞれに含まれる表紙データを個別表紙データとして取得する取得ステップと、前記複数の印刷データを統合したときに用いる表紙データを統合表紙データとして生成するための表紙生成設定を受け付ける受付ステップと、をコンピューターに実行させる情報処理プログラム。
【００２２】
（１４）上記（１３）に記載の情報処理プログラムを記録したコンピューター読み取り可能な記録媒体。
【発明の効果】
【００２３】
本発明によれば、複数の印刷データを統合したときに用いる表紙データを統合表紙データとして生成するための表紙生成設定を受け付ける。これにより、表紙付きの複数の印刷物を一つの印刷物にまとめる際に、ユーザーは設定を選択するだけで統合した印刷物の内容を適切に示す表紙を作成できる。したがって、ユーザーの作業負荷が軽減される。
【図面の簡単な説明】
【００２４】
【図１】本発明の一実施形態に係る情報処理装置が適用される印刷システムの全体構成を示すブロック図である。
【図２】クライアント端末の概略構成を示すブロック図である。
【図３】プリンターコントローラーの概略構成を示すブロック図である。
【図４】プリントエンジンの概略構成を示すブロック図である。
【図５】印刷データによって表現される印刷物の一例を示す概念図である。
【図６】プリンターコントローラーにより実行される表紙生成処理の手順を示すフローチャートである。
【図７】複数の印刷ジョブの選択を受け付ける画面の一例を示す図である。
【図８】複数の表紙データにより表現される複数の表紙を示す図である。
【図９】印刷ジョブを統合する際の設定を受け付ける画面の一例を示す図である。
【図１０】表紙生成方法の設定を受け付ける画面の一例を示す図である。
【図１１】背表紙生成方法の設定を受け付ける画面の一例を示す図である。
【図１２】オモテ表紙生成方法の設定を受け付ける画面の一例を示す図である。
【図１３】ウラ表紙生成方法の設定を受け付ける画面の一例を示す図である。
【図１４】図６のステップＳ１０４に示す背表紙生成処理の手順を示すフローチャートである。
【図１５】全ての背表紙を統合する設定において生成される背表紙の一例を示す図である。
【図１６】指定したジョブの背表紙を使用する設定において生成される背表紙の一例を示す図である。
【図１７】指定したジョブの背表紙を使用する設定において生成される背表紙の他の例を示す図である。
【図１８】図６のステップＳ１０５に示すオモテ表紙生成処理の手順を示すフローチャートである。
【図１９】縮小してレイアウトする設定において生成されるオモテ表紙の一例を示す図である。
【図２０】縮小してレイアウトする設定において生成されるオモテ表紙の他の例を示す図である。
【図２１】本身に挿入する設定において各ジョブのオモテ表紙が本身ページに挿入される様子を示す図である。
【図２２】図６のステップＳ１０６に示すウラ表紙生成処理の手順を示すフローチャートである。
【図２３】図６に示す表紙生成処理が行われる様子を示す図である。
【発明を実施するための形態】
【００２５】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２６】
図１は、本発明の一実施形態に係る情報処理装置が適用される印刷システムの全体構成を示すブロック図である。
【００２７】
図１に示すように、印刷システムは、クライアント端末１、プリンターコントローラー（以下、単に「コントローラー」と称する）２およびプリントエンジン３を備える。クライアント端末１、コントローラー２およびプリントエンジン３は、ネットワーク４を介して相互に通信可能に接続されている。
【００２８】
ネットワーク４は、イーサネット（登録商標）、ＦＤＤＩ（Ｆｉｂｅｒ  Ｄｉｓｔｒｉｂｕｔｅｄ  Ｄａｔａ  Ｉｎｔｅｒｆａｃｅ）、Ｗｉ−Ｆｉ（Ｗｉｒｅｌｅｓｓ  Ｆｉｄｅｌｉｔｙ）等の規格によりコンピューターやネットワーク機器同士を接続したＬＡＮ（Ｌｏｃａｌ  Ａｒｅａ  Ｎｅｔｗｏｒｋ）、あるいはＬＡＮ同士を専用線で接続したＷＡＮ（Ｗｉｄｅ  Ａｒｅａ  Ｎｅｔｗｏｒｋ）等からなる。なお、ネットワーク４に接続される機器の種類および台数は、図１に示す例に限定されない。また、コントローラー２とプリントエンジン３とは、ネットワーク４を介することなく直接機器間で接続（ローカル接続）されていてもよい。
【００２９】
（クライアント端末１）
図２は、クライアント端末の概略構成を示すブロック図である。クライアント端末１は、ＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、ハードディスク１４、ディスプレイ１５、入力装置１６、および通信インターフェース１７を含み、これらは信号をやり取りするためのバス１８を介して相互に接続されている。
【００３０】
ＣＰＵ１１は、プログラムにしたがって上記各部の制御や各種の演算処理を行う。ＲＯＭ１２は、各種プログラムや各種データを格納する。ＲＡＭ１３は、作業領域として一時的にプログラムやデータを記憶する。
【００３１】
ハードディスク１４は、オペレーティングシステム（ＯＳ）を含む各種プログラムや、各種データを格納する。ハードディスク１４には、印刷物の表紙および本身ページの原稿データを作成するためのアプリケーションや、ユーザーから複数の印刷物の統合に関する各種指示を受け付けてコントローラー２へ送信するためのアプリケーション等がインストールされている。
【００３２】
また、ハードディスク１４には、原稿データをページ記述言語（ＰＤＬ）で記述された印刷データに変換するためのプリンタードライバーがインストールされている。プリンタードライバーは、コントローラー２が対応可能な形式による印刷データを作成し、これを印刷ジョブとしてネットワーク４を介してコントローラー２へ送信する。印刷ジョブは、文書、図形、画像等により印刷物の表紙および本身ページを示す印刷データと、当該印刷データを記録媒体等に画像形成するための設定である印刷設定とを含む。
【００３３】
ディスプレイ１５は、たとえば、液晶ディスプレイであり、各種の情報を表示する。入力装置１６は、マウス等のポインティングデバイス、およびキーボードを含み、各種の入力を行うために使用される。通信インターフェース１７は、ネットワーク４を介し他の機器と通信するためのインターフェースであり、イーサネット（登録商標）、ＦＤＤＩ、Ｗｉ−Ｆｉ等の規格が用いられる。
【００３４】
（コントローラー２）
図３は、コントローラー２の概略構成を示すブロック図である。コントローラー２は、情報処理装置として、ＣＰＵ２１、ＲＯＭ２２、ＲＡＭ２３、ハードディスク２４、ディスプレイ２５、入力装置２６および通信インターフェース２７を含み、これらは信号をやり取りするためのバス２８を介して相互に接続されている。なお、コントローラー２の上記各部のうち、クライアント端末１の上記各部と同様の機能を有する部分については、その説明を省略する。
【００３５】
ＣＰＵ２１は、ハードディスク２４に記憶されているプログラムを実行することにより、取得部、受付部および生成部として機能する。各部の具体的な処理内容については後述する。
【００３６】
ハードディスク２４には、複数の印刷ジョブが記憶されている。印刷ジョブに含まれる印刷データの詳細については、後述する。
【００３７】
また、ハードディスク２４には、印刷データにラスタライズ処理を施して、表紙および本身ページの画像データを生成するためのＲＩＰプログラムが記憶されている。さらに、ハードディスク２４には、複数の印刷データのそれぞれに含まれる表紙データを取得し、当該複数の印刷データを統合したときに用いる表紙データを生成するための表紙生成設定を受け付けるプログラムが格納されている。
【００３８】
ディスプレイ２５は、印刷データを統合する旨の指示や、統合したときに用いる表紙データを生成するための設定をユーザーから受け付けるための画面を表示する。
【００３９】
（プリントエンジン３）
図４は、プリントエンジン３の概略構成を示すブロック図である。プリントエンジン３は、ＣＰＵ３１、ＲＯＭ３２、ＲＡＭ３３、ハードディスク３４、操作パネル３５、印刷部３６、読取部３７および通信インターフェース３８を含み、これらは信号をやり取りするためのバス３９を介して相互に接続されている。なお、プリントエンジン３の上記各部のうち、クライアント端末１の上記各部と同様の機能を有する部分については、その説明を省略する。
【００４０】
操作パネル３５は、タッチパネル、テンキー、スタートボタン、ストップボタン等を備えており、各種情報の表示および各種指示の入力に使用される。
【００４１】
印刷部３６は、電子写真式プロセス等の周知の作像プロセスを用いて、画像データに基づく画像を用紙等の記録シート上に形成する。
【００４２】
読取部３７は、原稿画像からラスターデータを生成するためのＣＣＤ（Ｃｈａｒｇｅ  Ｃｏｕｐｌｅｄ  Ｄｅｖｉｃｅ）画像センサ等の撮像装置を備えているスキャナからなり、ＡＤＦ（自動原稿搬送装置：Ａｕｔｏ  Ｄｏｃｕｍｅｎｔ  Ｆｅｅｄｅｒ）を有する。読取部３７は、所定の読み取り位置にセットされた原稿またはＡＤＦにより所定の読み取り位置に搬送された原稿に蛍光ランプ等の光源で光を当て、その反射光を撮像装置で光電変換し、得られた電気信号から画像データを生成する。
【００４３】
なお、クライアント端末１、コントローラー２、およびプリントエンジン３は、上記構成要素以外の構成要素を含んでいてもよく、あるいは、上記構成要素のうちの一部が含まれていなくてもよい。
【００４４】
（印刷データ）
上記のコントローラー２のハードディスク２４には、複数の印刷ジョブが記憶されている。印刷ジョブには、上述のとおり、印刷物の表紙および本身ページを示す印刷データが含まれる。印刷データの詳細について、以下に説明する。
【００４５】
図５は、印刷データによって表現される印刷物の一例を示す概念図である。
【００４６】
図５に示すように、印刷データによって表現される印刷物１００は、本身ページ１１０と、本身ページ１１０を挟み込んで製本するための表紙１２０とを含む。本身ページ１１０は、たとえば、印刷物の内容を示す複数のページから構成される。表紙１２０は、背表紙１２１、オモテ表紙１２２およびウラ表紙１２３の各部から構成される。背表紙１２１、オモテ表紙１２２およびウラ表紙１２３は、それぞれ背表紙データ、オモテ表紙データおよびウラ表紙データによって表現される。
【００４７】
（処理概要）
次に、印刷システムにおける処理の流れを説明する。
【００４８】
図６は、プリンターコントローラーにより実行される表紙生成処理の手順を示すフローチャートである。図７は、複数の印刷ジョブの選択を受け付ける画面の一例を示す図である。図８は、複数の表紙データにより表現される複数の表紙を示す図である。図９は、印刷ジョブを統合する際の設定を受け付ける画面の一例を示す図である。図１０は、表紙生成方法の設定を受け付ける画面の一例を示す図である。図１１は、背表紙生成方法の設定を受け付ける画面の一例を示す図である。図１２は、オモテ表紙生成方法の設定を受け付ける画面の一例を示す図である。図１３は、ウラ表紙生成方法の設定を受け付ける画面の一例を示す図である。図６のフローチャートにより示されるアルゴリズムは、コントローラー２のハードディスク２４にプログラムとして記憶されており、ＣＰＵ２１によって実行される。
【００４９】
まず、コントローラー２は、複数の印刷ジョブを統合する旨の指示を受け付ける（ステップＳ１０１）。具体的には、コントローラー２は、図７に示すような、ジョブ選択受付画面２００をディスプレイ２５に表示し、ユーザーから印刷ジョブの選択および印刷ジョブの統合指示を受け付ける。
【００５０】
ジョブ選択受付画面２００は、ユーザーから印刷ジョブの選択を受け付けるための画面であり、図７に示すように、ジョブ表示部２０１およびジョブ統合ボタン２０２を有する。ジョブ表示部２０１は、コントローラー２に保存されている印刷ジョブに関する情報を一覧表示し、ユーザーによるマウスのクリック操作等による印刷ジョブの選択を受け付ける。たとえば、図７の例では、「ジョブＡ」〜「ジョブＤ」の４つの印刷ジョブが、統合する印刷ジョブとして選択されている。このように、複数の印刷ジョブが選択された状態で、ジョブ統合ボタン２０２が押下されると、コントローラー２は、印刷ジョブの統合指示を受け付ける。
【００５１】
続いて、コントローラー２は、取得部として、統合する対象となる複数の印刷ジョブに含まれる複数の表紙データを、個別表紙データとして取得する（ステップＳ１０２）。具体的には、コントローラー２は、ステップＳ１０１において統合する対象として選択された複数の印刷ジョブに含まれる印刷データのそれぞれから、複数の表紙データを取得する。図７の例では、「ジョブＡ」、「ジョブＢ」、「ジョブＣ」、「ジョブＤ」の４つの印刷ジョブが選択されている。したがって、コントローラー２は、選択された４つの印刷ジョブのそれぞれから、４つの表紙データを取得する。４つの表紙データに基づいて、図８に示すように、表紙１２０ａ〜１２０ｄが表現される。表紙１２０ａは、背表紙１２１ａ、オモテ表紙１２２ａおよびウラ表紙１２３ａを含む。同様に、表紙１２０ｂ〜１２０ｄも、それぞれ、背表紙１２１ｂ〜１２１ｄ、オモテ表紙１２２ｂ〜１２２ｄおよびウラ表紙１２３ｂ〜１２３ｄを含む。
【００５２】
続いて、コントローラー２は、受付部として、複数の印刷ジョブを統合したときに用いる表紙データである統合表紙データを生成するための設定を、表紙生成設定として受け付ける（ステップＳ１０３）。具体的には、コントローラー２は、図９に示すような、統合設定受付画面２１０をディスプレイ２５に表示する。
【００５３】
統合設定受付画面２１０は、ユーザーから印刷ジョブを統合する際の各種設定を受け付けるための画面であり、選択ジョブ表示部２１１、ジョブ順序設定ボタン２１２および表紙生成設定ボタン２１３を有する。選択ジョブ表示部２１１は、ステップＳ１０２において選択された印刷ジョブの名称を一覧表示する。ジョブ順序設定ボタン２１２は、選択ジョブ表示部２１１に表示された印刷ジョブの並び順を入れ替えるためのボタンである。統合設定受付画面２１０において、ユーザーのマウス操作等により、表紙生成設定ボタン２１３が押下されると、コントローラー２は、図１０に示すような、表紙生成設定受付画面２２０をディスプレイ２５に表示する。
【００５４】
表紙生成設定受付画面２２０は、ユーザーから表紙生成設定を受け付けるための画面であり、図１０に示すように、背表紙生成設定受付部２２１、オモテ表紙生成設定受付部２２２およびウラ表紙生成設定受付部２２３を有する。コントローラー２は、表紙生成設定受付画面２２０において、背表紙、オモテ表紙およびウラ表紙について生成方法の設定を受け付ける。コントローラー２は、受け付けた設定の内容を、それぞれ背表紙生成設定、オモテ表紙生成設定およびウラ表紙生成設定として、ハードディスク２５に記憶する。
【００５５】
背表紙生成設定としては、図１１に示すように、「全ての背表紙を統合する」、「指定したジョブの背表紙を使用する」、「ファイルから読み込む」のうちいずれかの設定が選択される。「指定したジョブの背表紙を使用する」の設定が選択された場合、コントローラー２は、さらに、背表紙を使用する印刷ジョブの指定と、背表紙の生成方法の指定を受け付ける。背表紙の生成方法としては、たとえば、指定したジョブの背表紙の両側に余白を付与する方法や、指定したジョブの背表紙を拡大する方法等がある。上記の各設定に基づく処理の詳細については、後述する。
【００５６】
オモテ表紙生成設定としては、図１２に示すように、「縮小してレイアウトする」、「指定したジョブの表紙を使用する」、「ファイルから読み込む」、「本身に挿入する」のうちいずれかの設定が選択される。「指定したジョブの表紙を使用する」の設定が選択された場合、コントローラー２は、さらに、選択された印刷ジョブのリストを示す画面（図示せず）を表示し、オモテ表紙を使用する印刷ジョブの指定を受け付ける。上記の各設定に基づく処理の詳細については、後述する。
【００５７】
ウラ表紙生成設定としては、図１３に示すように、「縮小してレイアウトする」、「指定したジョブの表紙を使用する」、「ファイルから読み込む」、「本身に挿入する」のうちいずれかの設定が選択される。「指定したジョブの表紙を使用する」の設定が選択された場合、コントローラー２は、さらに、選択された印刷ジョブのリストを示す画面（図示せず）を表示し、ウラ表紙を使用する印刷ジョブの指定を受け付ける。上記の各設定に基づく処理の詳細については、後述する。
【００５８】
続いて、コントローラー２は、生成部として、ステップＳ１０３で受け付けた表紙生成設定に従って、背表紙生成処理（ステップＳ１０４）、オモテ表紙生成処理（ステップＳ１０５）、ウラ表紙生成処理（ステップＳ１０６）の各処理を行う。
【００５９】
（ステップＳ１０４の背表紙生成処理）
図１４は、図６のステップＳ１０４に示す背表紙生成処理の手順を示すフローチャートである。図１５は、全ての背表紙を統合する設定において生成される背表紙の一例を示す図である。図１６は、指定したジョブの背表紙を使用する設定において生成される背表紙の一例を示す図である。図１７は、指定したジョブの背表紙を使用する設定において生成される背表紙の他の例を示す図である。
【００６０】
図１４に示すように、コントローラー２は、複数の印刷ジョブを統合して生成される印刷物が、統合可能な厚さか否かを判断する（ステップＳ２０１）。統合可能な厚さか否かの判断は、たとえば、複数の印刷ジョブの内容から、生成される印刷物の厚さを算出し、算出された厚さと、コントローラー２に予め設定された製本可能な厚さの上限値とを比較することによって行う。算出された印刷物の厚さが製本可能な厚さの上限値を超えている場合、統合可能な厚さでないと判断され、算出された印刷物の厚さが製本可能な厚さの上限値を超えていない場合、統合可能な厚さであると判断される。
【００６１】
統合可能な厚さでない場合（ステップＳ２０１：ＮＯ）、コントローラー２は、表紙生成処理を継続できないと判断し、ディスプレイ２５にエラー画面を表示して（ステップＳ２０８）、表紙生成処理を終了する。
【００６２】
一方、統合可能な厚さである場合（ステップＳ２０１：ＹＥＳ）、コントローラー２は、図６のステップＳ１０３においてハードディスク２５に記憶された背表紙生成設定を確認し、「全ての背表紙を統合する」の設定か否かを判断する（ステップＳ２０２）。
【００６３】
「全ての背表紙を統合する」の設定である場合（ステップＳ２０２：ＹＥＳ）、コントローラー２は、各印刷ジョブに対応する背表紙を、ステップＳ１０３で設定された印刷ジョブの並び順に従って統合する（ステップＳ２０３）。具体的には、コントローラー２は、図１５に示すように、各印刷ジョブの背表紙１２１ａ〜１２１ｄを、印刷ジョブの並び順に従って印刷物の厚み方向に並べ、新たな背表紙１２１ｅとして生成する。コントローラー２は、生成された新たな背表紙１２１ｅを示すデータを、統合表紙データの背表紙データとしてハードディスク２４に記憶する。
【００６４】
一方、「全ての背表紙を統合する」の設定でない場合（ステップＳ２０２：ＮＯ）、コントローラー２は、ステップＳ２０２において確認した背表紙生成設定が、「指定したジョブの背表紙を使用する」の設定か否かを判断する（ステップＳ２０４）。
【００６５】
「指定したジョブの背表紙を使用する」の設定である場合（ステップＳ２０４：ＹＥＳ）、コントローラー２は、図６のステップＳ１０３において指定された印刷ジョブの背表紙を、指定された編集方法に従って編集する（ステップＳ２０５）。たとえば、印刷ジョブとして「ジョブＡ」が指定されている場合について説明する。編集方法として、余白を追加する方法が指定されている場合、コントローラー２は、たとえば、図１６に示すように、背表紙１２１ａの両側に余白を追加し、新たな背表紙１２１ｆを生成する。ここで、コントローラー２は、新たな背表紙１２１ｆの幅が、統合する各印刷ジョブの背表紙１２１ａ〜１２１ｄの幅の合計値となるように、余白を追加する。あるいは、編集方法として、指定された背表紙を拡大する方法が指定されている場合、コントローラー２は、たとえば、図１７に示すように、背表紙１２１ａを印刷物の厚み方向に拡大し、新たな背表紙１２１ｇを生成する。ここで、コントローラー２は、新たな背表紙１２１ｇの幅が、統合する各印刷ジョブの背表紙１２１ａ〜１２１ｄの幅の合計値となるように、背表紙１２１ａを印刷物の厚み方向に拡大する。コントローラー２は、生成された新たな背表紙１２１ｆまたは１２１ｇを示すデータを、統合表紙データの背表紙データとしてハードディスク２４に記憶する。
【００６６】
一方、「指定したジョブの背表紙を使用する」の設定でない場合（ステップＳ２０４：ＮＯ）、コントローラー２は、ステップＳ２０２において確認した背表紙生成設定が、「ファイルから読み込む」の設定か否かを判断する（ステップＳ２０６）。
【００６７】
「ファイルから読み込む」の設定である場合（ステップＳ２０６：ＹＥＳ）、コントローラー２は、ユーザーから背表紙を示すデータを含むファイルの指定を受け付け、指定されたファイルに含まれるデータを読み込む（ステップＳ２０７）。たとえば、コントローラー２は、ファイルを選択するための画面（不図示）をディスプレイ２５に表示して、ユーザーのマウス操作やキーボード操作等によりファイルの指定を受け付ける。コントローラー２は、読み込んだデータを、統合表紙データの背表紙データとしてハードディスク２４に記憶する。
【００６８】
一方、「ファイルから読み込む」の設定でない場合（ステップＳ２０６：ＮＯ）、コントローラー２は、表紙生成設定が適切に行われていないと判断し、ディスプレイ２５にエラー画面を表示して（ステップＳ２０８）、表紙生成処理を終了する。
【００６９】
（ステップＳ１０５のオモテ表紙生成処理）
図１８は、図６のステップＳ１０５に示すオモテ表紙生成処理の手順を示すフローチャートである。図１９は、縮小してレイアウトする設定において生成されるオモテ表紙の一例を示す図である。図２０は、縮小してレイアウトする設定において生成されるオモテ表紙の他の例を示す図である。図２１は、本身に挿入する設定において各ジョブのオモテ表紙が本身ページに挿入される様子を示す図である。
【００７０】
図１８に示すように、コントローラー２は、図６のステップＳ１０３においてハードディスク２５に記憶されたオモテ表紙生成設定を確認し、「縮小してレイアウトする」の設定か否かを判断する（ステップＳ３０１）。
【００７１】
「縮小してレイアウトする」の設定である場合（ステップＳ３０１：ＹＥＳ）、コントローラー２は、各印刷ジョブに対応するオモテ表紙を縮小し、１つのオモテ表紙を構成するように配置して結合する（ステップＳ３０２）。具体的には、コントローラー２は、図１９に示すように、各印刷ジョブのオモテ表紙１２２ａ〜１２２ｄを、１つのオモテ表紙内にレイアウト可能なサイズに縮小したうえで、所定の規則に従って配置して結合し、新たなオモテ表紙１２２ｅとして生成する。配置する際の所定の規則は、ユーザーが適宜設定できる。たとえば、図２０に示すような新たなオモテ表紙１２２ｆを構成するように、オモテ表紙１２２ａ〜１２２ｄを配置して結合してもよい。コントローラー２は、統合された新たなオモテ表紙１２２ｅまたは１２２ｆを示すデータを、統合表紙データのオモテ表紙データとしてハードディスク２４に記憶する。
【００７２】
一方、「縮小してレイアウトする」の設定でない場合（ステップＳ３０１：ＮＯ）、コントローラー２は、ステップＳ３０１において確認したオモテ表紙生成設定が、「指定したジョブのオモテ表紙を使用する」の設定か否かを判断する（ステップＳ３０３）。
【００７３】
「指定したジョブのオモテ表紙を使用する」の設定である場合（ステップＳ３０３：ＹＥＳ）、コントローラー２は、図６のステップＳ１０３において指定された印刷ジョブのオモテ表紙をそのまま使用する（ステップＳ３０４）。たとえば、オモテ表紙を使用する印刷ジョブとして「ジョブＡ」が指定されている場合、コントローラー２は、図７に示すオモテ表紙１２２ａを、統合した印刷物に用いるオモテ表紙としてそのまま使用する。この場合、コントローラー２は、オモテ表紙１２２ａを示すデータを、統合表紙データのオモテ表紙データとしてハードディスク２４に記憶する。
【００７４】
一方、「指定したジョブのオモテ表紙を使用する」の設定でない場合（ステップＳ３０３：ＮＯ）、コントローラー２は、ステップＳ３０１において確認したオモテ表紙生成設定が、「ファイルから読み込む」の設定か否かを判断する（ステップＳ３０５）。
【００７５】
「ファイルから読み込む」の設定である場合（ステップＳ３０５：ＹＥＳ）、コントローラー２は、ユーザーからオモテ表紙を示すデータを含むファイルの指定を受け付け、指定されたファイルに含まれるデータを読み込む（ステップＳ３０６）。たとえば、コントローラー２は、ファイルを選択するための画面（不図示）をディスプレイ２５に表示して、ユーザーのマウス操作やキーボード操作等によりファイルの指定を受け付ける。コントローラー２は、読み込んだデータを、統合表紙データのオモテ表紙データとしてハードディスク２４に記憶する。
【００７６】
一方、「ファイルから読み込む」の設定でない場合（ステップＳ３０５：ＮＯ）、コントローラー２は、ステップＳ３０１において確認したオモテ表紙生成設定が、「本身に挿入する」の設定か否かを判断する（ステップＳ３０７）。
【００７７】
「本身に挿入する」の設定である場合（ステップＳ３０７：ＹＥＳ）、コントローラー２は、各印刷ジョブのオモテ表紙を、各印刷ジョブの本身ページの最初のページとして挿入する（ステップＳ３０８）。具体的には、図２１に示すように、コントローラー２は、各印刷ジョブのオモテ表紙１２２ａ〜１２２ｄを、各印刷ジョブの本身ページ１１０ａ〜１１０ｄの最初のページとして挿入する。
【００７８】
一方、「本身に挿入する」の設定でない場合（ステップＳ３０７：ＮＯ）、コントローラー２は、表紙生成設定が適切に行われていないと判断し、ディスプレイ２５にエラー画面を表示して（ステップＳ３０９）、表紙生成処理を終了する。
【００７９】
（ステップＳ１０６のウラ表紙生成処理）
図２２は、図６のステップＳ１０６に示すウラ表紙生成処理の手順を示すフローチャートである。なお、以下において、図６のステップＳ１０５に示すオモテ表紙生成処理と対象がオモテ表紙かウラ表紙かを除いて同様の部分については、適宜その説明を省略する。
【００８０】
図２２に示すように、「縮小してレイアウトする」の設定である場合（ステップＳ４０１：ＹＥＳ）、コントローラー２は、各印刷ジョブに対応するウラ表紙を縮小し、１つのウラ表紙を構成するように配置して結合する（ステップＳ４０２）。具体的な処理については、図１８のステップＳ３０２に示すオモテ表紙の場合の処理と同様である。
【００８１】
また、「指定したジョブのウラ表紙を使用する」の設定である場合（ステップＳ４０３：ＹＥＳ）、コントローラー２は、図６のステップＳ１０３において指定された印刷ジョブのウラ表紙をそのまま使用する（ステップＳ４０４）。たとえば、ウラ表紙を使用する印刷ジョブとして「ジョブＡ」が指定されている場合、コントローラー２は、図７に示すウラ表紙１２３ａを、統合した印刷物に用いるウラ表紙としてそのまま使用する。
【００８２】
また、「ファイルから読み込む」の設定である場合（ステップＳ４０５：ＹＥＳ）、コントローラー２は、ユーザーからウラ表紙を示すデータを含むファイルの指定を受け付け、指定されたファイルに含まれるデータを読み込む（ステップＳ４０６）。
【００８３】
また、「本身に挿入する」の設定である場合（ステップＳ４０７：ＹＥＳ）、コントローラー２は、各印刷ジョブのウラ表紙１２３ａ〜１２３ｄを、各印刷ジョブの本身ページの最後のページとして挿入する（ステップＳ４０８）。
【００８４】
一方、「本身に挿入する」の設定でない場合（ステップＳ４０７：ＮＯ）、コントローラー２は、表紙生成設定が適切に行われていないと判断し、ディスプレイ２５にエラー画面を表示して（ステップＳ４０９）、表紙生成処理を終了する。
【００８５】
以上の表紙生成処理により、統合表紙データの背表紙データ、オモテ表紙データおよびウラ表紙データが生成され、これらの生成されたデータをあわせて、統合した印刷物の表紙を示す統合表紙データが完成する。
【００８６】
次に、表紙生成処理全体の流れについて、具体的な例を用いて説明する。
【００８７】
図２３は、図６に示す表紙生成処理が行われる様子を示す図である。
【００８８】
まず、ステップＳ１０１において、印刷ジョブの統合指示が受け付けられる。続いて、ステップＳ１０２において、各印刷ジョブの表紙１２０ａ〜１２０ｄを示す個別表紙データが取得される。
【００８９】
続いて、ステップＳ１０３において、表紙生成設定が受け付けられる。図２３の例では、背表紙生成設定として「全ての背表紙を統合する」の設定、オモテ表紙生成設定として「縮小してレイアウトする」の設定、ウラ表紙生成設定として「指定したジョブの表紙を使用する」の設定がそれぞれ受け付けられている。また、ウラ表紙生成設定において、ウラ表紙を使用する印刷ジョブとしては、ウラ表紙１２３ａを含む印刷ジョブである「ジョブＡ」が指定されている。
【００９０】
続いて、ステップＳ１０４において、背表紙生成設定に基づいて、統合した印刷物に用いる背表紙が生成される。図２３に示すように、背表紙１２１ａ〜１２１ｄの全ての背表紙が統合されて、新たな背表紙１２１ｅが生成されている。
【００９１】
続いて、ステップＳ１０５において、オモテ表紙生成設定に基づいて、統合した印刷物に用いるオモテ表紙が生成される。図２３に示すように、オモテ表紙１２２ａ〜１２２ｄが縮小して配置され、新たなオモテ表紙１２２ｆが生成されている。
【００９２】
続いて、ステップＳ１０６において、ウラ表紙生成設定に基づいて、統合した印刷物に用いるウラ表紙が生成される。図２３に示すように、指定されたウラ表紙１２３ａがそのまま新たなウラ表紙１２３ａとして使用されている。
【００９３】
このように生成された背表紙１２１ｅ、オモテ表紙１２２ｆおよびウラ表紙１２３ａをあわせて一枚の表紙とすることにより、統合した印刷物に用いる表紙１２０ｅが形成される。
【００９４】
以上のように、本実施形態のコントローラー２によれば、複数の印刷データを統合したときに用いる表紙データを統合表紙データとして生成するための表紙生成設定を受け付ける。これにより、表紙付きの複数の印刷物を一つの印刷物にまとめる際に、ユーザーは設定を選択するだけで統合した印刷物の内容を適切に示す表紙を作成できる。したがって、ユーザーの作業負荷が軽減される。
【００９５】
また、表紙データは、背表紙データ、オモテ表紙データおよびウラ表紙データを含み、表紙生成設定は、背表紙データ、オモテ表紙データおよびウラ表紙データのそれぞれを生成するための背表紙生成設定、オモテ表紙生成設定およびウラ表紙生成設定を含む。これにより、背表紙、オモテ表紙およびウラ表紙の全てについて、ユーザーは設定を選択することにより適切な表紙を作成できる。その結果、ユーザーの作業負荷が軽減される。
【００９６】
また、コントローラー２は、表紙生成設定に基づき、統合表紙データを生成する。これにより、ユーザーが統合表紙データを別途作成する作業が不要となる。
【００９７】
また、コントローラー２は、複数の個別表紙データのうち少なくとも一部を用いて、統合表紙データを生成する。これにより、ユーザーは印刷物の内容を適切に示す表紙を簡単に作成できる。
【００９８】
また、コントローラー２は、背表紙生成設定が「全ての背表紙を統合する」の設定である場合、複数の個別表紙データに含まれる全ての背表紙データを結合して、統合表紙データの背表紙データを生成する。これにより、統合される全ての印刷ジョブの背表紙を使用して、統合した印刷物の背表紙が作成されるため、ユーザーは統合した印刷物に含まれる内容を一見して把握可能な背表紙を容易に作成できる。
【００９９】
また、コントローラー２は、背表紙生成設定が「指定したジョブの背表紙を使用する」の設定である場合、当該選択された背表紙データにより示される背表紙を拡大、または、当該選択された背表紙データにより示される背表紙に余白を付与して新たな背表紙を生成する。そして、生成した新たな背表紙を示すデータを、前記統合表紙データの背表紙データとする。これにより、統合される印刷ジョブの中から指定された印刷ジョブの背表紙を用いて統合した印刷物の背表紙が作成されるため、ユーザーは統合した印刷物に含まれる代表的な内容を把握可能な背表紙を容易に作成できる。
【０１００】
また、コントローラー２は、背表紙生成設定が「ファイルから読み込む」の設定である場合、ユーザーから背表紙データの指定を受け付けて、指定された背表紙データを用いて、統合表紙データの背表紙データを生成する。これにより、任意の背表紙データを、統合した印刷物の背表紙とすることができ、ユーザーの印刷物統合作業における利便性が高まる。
【０１０１】
また、コントローラー２は、オモテ表紙生成設定またはウラ表紙生成設定が「縮小してレイアウトする」の設定である場合、複数のオモテ表紙データまたは複数のウラ表紙データにより示される複数のオモテ表紙または複数のウラ表紙をそれぞれ縮小して結合する。そして、結合した複数のオモテ表紙または複数のウラ表紙を新たなオモテ表紙または新たなウラ表紙として生成し、生成された新たなオモテ表紙または新たなウラ表紙を示すデータを、統合表紙データのオモテ表紙データまたはウラ表紙データとする。これにより、統合される全ての印刷ジョブのオモテ表紙またはウラ表紙を使用して、統合した印刷物のオモテ表紙またはウラ表紙が作成される。したがって、ユーザーは統合した印刷物に含まれる内容を一見して把握可能なオモテ表紙またはウラ表紙を容易に作成できる。
【０１０２】
また、コントローラー２は、オモテ表紙生成設定またはウラ表紙生成設定が「指定したジョブのオモテ表紙を使用する」の設定または「指定したジョブのウラ表紙を使用する」の設定である場合、指定された印刷ジョブのオモテ表紙データまたはウラ表紙データをそのまま用いて、統合表紙データのオモテ表紙データまたはウラ表紙データを生成する。これにより、統合される印刷ジョブの中から指定された印刷ジョブのオモテ表紙またはウラ表紙を用いて統合した印刷物のオモテ表紙またはウラ表紙が作成される。したがって、ユーザーは統合した印刷物に含まれる代表的な内容を把握可能なオモテ表紙またはウラ表紙を容易に作成できる。
【０１０３】
また、コントローラー２は、オモテ表紙生成設定またはウラ表紙生成設定が「ファイルから読み込む」の設定である場合、ユーザーからオモテ表紙データまたはウラ表紙データの指定を受け付ける。そして、指定されたオモテ表紙データまたはウラ表紙データを用いて、統合表紙データのオモテ表紙データまたはウラ表紙データを生成する。これにより、任意のオモテ表紙データまたはウラ表紙データを、統合した印刷物のオモテ表紙またはウラ表紙とすることができ、ユーザーの印刷物統合作業における利便性が高まる。
【０１０４】
また、コントローラー２は、オモテ表紙生成設定またはウラ表紙生成設定が「本身に挿入する」の設定である場合、複数のオモテ表紙データまたはウラ表紙データを、複数の印刷データそれぞれの本身ページの最初または最後のページを示すデータとして挿入する。これにより、統合した印刷物の本身ページの適切な位置に、統合前の各印刷物のオモテ表紙またはウラ表紙を含めることができる。その結果、統合した印刷物の本身ページにおいて、統合前の各印刷物の境目の把握が容易となり、各印刷物の内容の把握も容易となる。
【０１０５】
なお、上記実施形態では、オモテ表紙生成設定またはウラ表紙生成設定における「本身に挿入する」の設定は、他の設定と択一的に選択されるものとして説明したが、これに限定されない。「本身に挿入する」の設定は、「縮小してレイアウトする」、「指定したジョブのオモテ表紙を使用する」または「ファイルから読み込む」といった他の設定と重複して設定されてもよい。重複して設定された場合、「本身に挿入する」の設定に基づいて各印刷ジョブの表紙が本身に挿入されるとともに、他の設定に基づいて統合した印刷物に用いるオモテ表紙およびウラ表紙が生成される。
【０１０６】
また、上記実施形態では、統合する複数の印刷ジョブに含まれる表紙データおよび本身ページを示す印刷データは、クライアント端末１のアプリケーションにおいて作成された原稿データから生成されるものとして説明したが、これに限定されない。表紙データおよびページを示す印刷データは、プリントエンジン３の読取部３７等によって印刷物の表紙や本身ページをスキャンすることにより生成されてもよい。
【０１０７】
また、上記実施形態では、背表紙生成設定として「指定したジョブの背表紙を使用する」の設定が選択された場合、さらに、背表紙を使用する印刷ジョブの指定や、背表紙の生成方法の指定を行うものとして説明したが、これに限定されない。印刷ジョブの指定や背表紙の生成方法の指定は、事前に定められた規則に従い自動的に行ってもよい。さらに、自動的に指定された内容をユーザーが適宜変更できるようにしてもよい。これにより、ユーザーの作業負荷がより軽減される。
【０１０８】
また、上記実施形態では、オモテ表紙生成設定またはウラ表紙生成設定として「指定したジョブの表紙を使用する」の設定が選択された場合、さらに、表紙を使用する印刷ジョブの指定を行うものとして説明したが、これに限定されない。印刷ジョブの指定は、たとえば、「最上位の印刷ジョブの表紙を使用する」等、事前に定められた規則に従い自動的に行ってもよい。さらに、自動的に指定された内容をユーザーが適宜変更できるようにしてもよい。これにより、ユーザーの作業負荷がより軽減される。
【０１０９】
また、上記の実施形態において、コントローラー２によって実行されるものとして説明した表紙生成処理は、クライアント端末１によって実行されてもよく、あるいは、ネットワーク４上に設けられたサーバー等の装置によって実行されてもよい。
【０１１０】
本発明のコントローラー２による表紙生成処理は、上記各手順を実行するための専用のハードウエア回路によっても、また、上記各手順を記述したプログラムをＣＰＵが実行することによっても実現することができる。後者により本発明を実現する場合、コントローラー２を動作させる上記プログラムは、ＵＳＢメモリー、フロッピー（登録商標）ディスクやＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ＲＯＭやハードディスク等に転送され記憶される。また、このプログラムは、たとえば、単独のアプリケーションソフトとして提供されてもよいし、コントローラー２の一機能としてその装置のソフトウェアに組み込んでもよい。
【符号の説明】
【０１１１】
１  クライアント端末、
１１  ＣＰＵ、
１２  ＲＯＭ、
１３  ＲＡＭ、
１４  ハードディスク、
１５  ディスプレイ、
１６  入力装置、
１７  通信インターフェース、
１８  バス、
２  コントローラー、
２１  ＣＰＵ、
２２  ＲＯＭ、
２３  ＲＡＭ、
２４  ハードディスク、
２５  ディスプレイ、
２５  ハードディスク、
２６  入力装置、
２７  通信インターフェース、
２８  バス、
３  プリントエンジン、
３１  ＣＰＵ、
３２  ＲＯＭ、
３３  ＲＡＭ、
３４  ハードディスク、
３５  操作パネル、
３６  印刷部、
３７  読取部、
３８  通信インターフェース、
３９  バス、
４  ネットワーク。
【図１】
2015215692.tif 000003
【図２】
2015215692.tif 000004
【図３】
2015215692.tif 000005
【図４】
2015215692.tif 000006
【図５】
2015215692.tif 000007
【図６】
2015215692.tif 000008
【図７】
2015215692.tif 000009
【図８】
2015215692.tif 000010
【図９】
2015215692.tif 000011
【図１０】
2015215692.tif 000012
【図１１】
2015215692.tif 000013
【図１２】
2015215692.tif 000014
【図１３】
2015215692.tif 000015
【図１４】
2015215692.tif 000016
【図１５】
2015215692.tif 000017
【図１６】
2015215692.tif 000018
【図１７】
2015215692.tif 000019
【図１８】
2015215692.tif 000020
【図１９】
2015215692.tif 000021
【図２０】
2015215692.tif 000022
【図２１】
2015215692.tif 000023
【図２２】
2015215692.tif 000024
【図２３】
2015215692.tif 000025